Podtech/llm-jp-corpus-v4-ja_patent huggingface dataset:
(57)【要約】  本発明は、交流供給グリッドに直接接続可能にする、電源を伴わないカプセル化されたＬＥＤストリップに関する。このストリップは、交流に接続可能であり、一方または両方の面にＬＥＤが装着された薄板支持部と、ＬＥＤを伴う支持部を完全に囲むカバーと、少なくとも１本の導電性ケーブルが続く、一方の端部に接続されたコネクタと、を備え、整流回路及び電流安定器をさらに備える。【選択図】図１
2021520619.tif 000002
【特許請求の範囲】
【請求項１】
一方または両方の面にＬＥＤ（１．２）が装着された薄板支持部（１．１）と、前記ＬＥＤ（１．２）を伴う支持部（１．１）を完全に囲むカバー（１．３）と、少なくとも１つの導電性ケーブル（１．５）が続く、前記支持部（１．１）の一方の端部に接続されたコネクタ（１．４）とを備える、交流に接続可能で電源を伴わないカプセル化されたＬＥＤストリップ（１）であって、整流回路及び電流安定器をさらに備えることを特徴とする、ＬＥＤストリップ。
【請求項２】
前記整流回路は、高精度抵抗器によって調整可能な一定の変動率を含み、過熱に対する防護を伴う、請求項１に記載のＬＥＤストリップ。
【発明の詳細な説明】
【技術分野】
【０００１】
本発明は、ＬＥＤを用いたライン状照明システムを構築するＬＥＤストリップ、詳細にはカバーを用いてカプセル化されたＬＥＤストリップの分野に含まれる。
【背景技術】
【０００２】
半透明または透明カバーでカプセル化された、可撓性ＬＥＤストリップが知られている。
【０００３】
一般的に、ＬＥＤストリップは屋外または屋内で使用されるが、１１０Ｖ／１２５Ｖまたは２２０Ｖ／２４０Ｖ交流グリッドのように、一般の家庭用電源グリッドに接続される。
【０００４】
上記のグリッドに接続されるＬＥＤストリップの構成要素は、グリッドの交流をＬＥＤストリップに電力を供給するために好適な直流に変換する電源（「ドライバ」としても知られている）によって、電力が供給される必要がある。
【０００５】
そのため、ＬＥＤストリップは、かさばり、重く、かつ高価な電源を有する。加えて、ＬＥＤストリップは特定の荷重のためにサイズを決められるという制限を有し、上記の電源に、特定のメートル数より長いＬＥＤストリップを接続することを不可能にする。これは非常に重要である。なぜならＬＥＤストリップの長さは、要望どおりに切断できるよう可変であるため、電源容量は、一般にＬＥＤストリップの消費に対応しないからである。これは、単一のかさばる外部の電源を有する代わりに、小型化された回路が設計されるよう提案される解決策を必要とする。
【０００６】
本発明は、独立請求項に記載され、かつ特徴付けられる。その一方で、本発明の他の特徴は、従属請求項で説明される。
【発明の概要】
【発明が解決しようとする課題】
【０００７】
本発明の目的は、交流供給グリッドに直接接続するのを可能にする、電源を伴わないカプセル化されたＬＥＤストリップに関する。解決するべき技術的課題は、言及する目的を獲得するようなＬＥＤストリップを構成することである。
【課題を解決するための手段】
【０００８】
本発明は、交流に接続可能で、電源を伴わないカプセル化されたＬＥＤストリップに関する。これは、そのプリント回路基板（ＰＣＢ）が接続部を有し、一方または両方の面にＬＥＤが装着された薄板支持部と、ＬＥＤを伴う支持部を完全に囲んでカプセル化するカバーと、少なくとも１本の導電性ケーブルが続き、支持部の一方の端部に接続された、当技術分野で公知のコネクタと、を備える。
【０００９】
本発明は、整流器及び電流安定器をさらに備え、それによって任意の電源をＬＥＤストリップに追加すること、または外部の電源を配置することを必要とせず、交流グリッドへの直接接続を可能にすることを特徴とする。
【００１０】
本明細書は、好ましい例を図示し、本発明を限定しない図のセットによって補完される。
【図面の簡単な説明】
【００１１】
【図１】本発明によるＬＥＤストリップの斜視図である。
【発明を実施するための形態】
【００１２】
図１は、交流に接続可能で、電源を伴わないカプセル化されたＬＥＤストリップ（１）を示す。これは、示されるように一方または両方の面にＬＥＤ（１．２）が装着された薄板支持部（１．１）と、ＬＥＤ（１．２）を伴う支持部（１．１）を完全に囲むカバー（１．３）と、図の表示ではプラグ（２）で終端するが、接続箱の端子にも接続され得る、少なくとも１本の導電性ケーブル（１．５）が続く、支持部（１．１）の端部に接続されたコネクタ（１．４）と、を備える。ＬＥＤストリップは、整流回路及び電流安定器をさらに含む。これらは、図示されないが例えばコネクタ（１．４）などの任意の箇所に設置することができる。
【００１３】
具体的には、整流回路は、高精度抵抗器によって調整可能な一定の変動率を含み、過熱に対する防護を伴う。
【００１４】
図示されないが、好ましくは、整流回路は、光照射野と干渉しないよう、ＬＥＤ照明領域における端部ＬＥＤ（１．２）の各側に設置され、各回路は少なくとも１つの高電圧ダイオードを含むことになる。
【図１】
2021520619.tif 000003
【国際調査報告】
2021520619.tif 000004
2021520619.tif 000005
2021520619.tif 000006
2021520619.tif 000007